(57)【要約】【課題】ビーズの数を正確に制御し安定させるためにビーズを含む液滴の塗布量を調整する液滴塗布量調整装置等を提供することを目的とする。【解決手段】複数の位置に一定の塗布量の液滴が塗布された被検査媒体に光学系にて光を照射し、前記被検査媒体の画像を取得する画像取得手段と、前記取得した画像に表示された液滴のうち少なくともいずれか一つの液滴に含まれるビーズの数をそれぞれ取得する取得手段と、前記被検査媒体に塗布される一定の塗布量の液滴に含まれるビーズの数を予め設定しておき、前記取得手段によりビーズの数が取得された液滴のうち少なくともいずれか一つの液滴に含まれるビーズの数が、前記設定したビーズの数の範囲外であるか否かを判定する判定手段と、を有することを特徴とする。【選択図】図１
2007304723.tif 000002
【特許請求の範囲】
【請求項１】
複数の位置に一定の塗布量の液滴が塗布された被検査媒体に光学系にて光を照射し、前記被検査媒体の画像を取得する画像取得手段と、
前記取得した画像に表示された液滴のうち少なくともいずれか一つの液滴に含まれるビーズの数をそれぞれ取得する取得手段と、
前記被検査媒体に塗布される一定の塗布量の液滴に含まれるビーズの数を予め設定しておき、前記取得手段によりビーズの数が取得された液滴のうち少なくともいずれか一つの液滴に含まれるビーズの数が、前記設定したビーズの数の範囲外であるか否かを判定する判定手段と、
を有することを特徴とする判定装置。
【請求項２】
請求項１に記載の判定装置において、
前記取得手段は、前記画像取得手段により取得した画像に表示された液滴のうち複数の液滴に含まれるビーズの数をそれぞれ取得し、
前記判定手段は、前記取得手段によりビーズの数が取得された液滴のうち所定の割合以上の液滴に含まれるビーズの数が、前記設定したビーズの数の範囲外であるか否かを判定することを特徴する判定装置。
【請求項３】
請求項１又は請求項２に記載の判定装置において、
前記液滴から抽出したビーズの面積と前記面積を有する液滴に含まれるビーズの数とを予め対応づけて記憶する記憶手段を有し、
前記取得手段は、前記複数の位置に塗布された各液滴から抽出したビーズの面積をそれぞれ測定する面積測定手段と、前記記憶手段を参照して前記測定された複数の位置に塗布された各液滴から抽出したビーズの面積に対応づけられた前記ビーズの数を取得するビーズ数取得手段であることを特徴とする判定装置。
【請求項４】
請求項１乃至請求項３のいずれか一項に記載の判定装置において、
前記光学系は暗視野光学系であることを特徴とする判定装置。
【請求項５】
請求項１乃至請求項４のいずれか一項に記載の判定装置を含む液滴塗布量調整装置において、
前記判定手段により前記設定したビーズの数の範囲外であると判定された場合に、前記被検査媒体に塗布される液滴の塗布量を調整する調整手段を有することを特徴とする液滴塗布量調整装置。
【請求項６】
複数の位置に一定の塗布量の液滴が塗布された被検査媒体に光学系にて光を照射し、前記被検査媒体の画像を取得する画像取得工程と、
前記取得した画像に表示された液滴のうち少なくともいずれか一つの液滴に含まれるビーズの数をそれぞれ取得する取得工程と、
前記被検査媒体に塗布される一定の塗布量の液滴に含まれるビーズの数を予め設定しておき、前記取得工程によりビーズの数が取得された液滴のうち少なくともいずれか一つの液滴に含まれるビーズの数が、前記設定したビーズの数の範囲外であるか否かを判定する判定工程と、
を有することを特徴とする判定方法。
【請求項７】
請求項６に記載の判定方法において、
前記取得工程は、前記画像取得工程により取得した画像に表示された液滴のうち複数の液滴に含まれるビーズの数をそれぞれ取得し、
前記判定工程は、前記取得工程によりビーズの数が取得された液滴のうち所定の割合以上の液滴に含まれるビーズの数が、前記設定したビーズの数の範囲外であるか否かを判定することを特徴する判定方法。
【請求項８】
請求項６又は請求項７に記載の判定方法において、
前記液滴から抽出したビーズの面積と前記面積を有する液滴に含まれるビーズの数とを予め対応づけて記憶する記憶工程を有し、
前記取得工程は、前記複数の位置に塗布された各液滴から抽出したビーズの面積をそれぞれ測定する面積測定工程と、前記記憶工程にて記憶させた情報を参照して前記測定された複数の位置に塗布された各液滴から抽出したビーズの面積に対応づけられた前記ビーズの数を取得するビーズ数取得工程であることを特徴とする判定方法。
【請求項９】
請求項６乃至請求項８のいずれか一項に記載の判定方法において、
前記光学系は暗視野光学系であることを特徴とする判定方法。
【請求項１０】
請求項６乃至請求項９のいずれか一項に記載の判定装置を含む液滴塗布量調整方法において、
前記判定工程により前記設定したビーズの数の範囲外であると判定された場合に、前記被検査媒体に塗布される液滴の塗布量を調整する調整工程を有することを特徴とする液滴塗布量調整方法。
【発明の詳細な説明】
【技術分野】
【０００１】
本発明は、ビーズを含む液滴の塗布量を調整する液滴塗布量調整装置等に関する。
【背景技術】
【０００２】
近年、液晶ディスプレイ（ＬＣＤ）等に用いられているカラーフィルタ等（被検査媒体）は、基板の間隙を一定に保つために、基板間にスペーサとして機能するビーズを配置している。通常このように基板間にビーズを配置するためには、フォトリソグラフィ法によるパターンニングで形成する方式や、インクジェット方式においてビーズを含む液滴を塗布することによって行われていた（特許文献１）。特にインクジェット方式は、マスク等を用いることなくビーズを配置したい位置に容易に配置することができ、更には塗布／乾燥のみの工程でビーズを配置できるため、コスト的に有利という理由から用いられているものである。
【特許文献１】特開平１１−３１６３８０号公報
【発明の開示】
【発明が解決しようとする課題】
【０００３】
ここで、上記スペーサとしての機能を果たすためには、塗布する液滴中に所定の個数を中心に規定のばらつき以内の分布をもってビーズが含まれていることが必要であった。よって、ビーズの数を計測し、ビーズの数の統計的分布を把握することにより液滴に含まれるビーズの数を正確に制御し安定させる必要があった。このような場合に、通常は液滴を顕微鏡により高倍率で拡大し、目視にて液滴に含まれるビーズの数をカウントしていたが、複数の液滴中のビーズの数を計測するためには時間がかかっていた。よって、液滴に含まれているビーズが規定のばらつき以内の分布ではない場合に、ビーズを含む液滴の塗布量を調整し、ビーズの数を正確に制御し安定させるまでにはかなりの時間がかかるという問題が生じていた。
【０００４】
本発明は、このような問題に鑑みなされたものであり、ビーズの数を正確に制御し安定させるためにビーズを含む液滴の塗布量を調整する液滴塗布量調整装置等を提供することを目的とする。
【課題を解決するための手段】
【０００５】
上記課題を解決するための請求項１に記載の発明は、複数の位置に一定の塗布量の液滴が塗布された被検査媒体に光学系にて光を照射し、前記被検査媒体の画像を取得する画像取得手段と、前記取得した画像に表示された液滴のうち少なくともいずれか一つの液滴に含まれるビーズの数をそれぞれ取得する取得手段と、前記被検査媒体に塗布される一定の塗布量の液滴に含まれるビーズの数を予め設定しておき、前記取得手段によりビーズの数が取得された液滴のうち少なくともいずれか一つの液滴に含まれるビーズの数が、前記設定したビーズの数の範囲外であるか否かを判定する判定手段と、を有することを特徴とする。
【０００６】
これによれば、取得した画像に表示された液滴のうち少なくともいずれか一つの液滴に含まれるビーズの数をそれぞれ取得し、取得された液滴のうち少なくともいずれか一つの液滴に含まれるビーズの数が、予め設定しておいたビーズの数の範囲外であるか否かを判定することによって、被検査媒体に塗布する液滴中にスペーサとして機能を果たすために必要な数のビーズが含まれているか否かを判定することができる。
【０００７】
上記課題を解決するための請求項２に記載の発明は、請求項１に記載の判定装置において、前記取得手段は、前記画像取得手段により取得した画像に表示された液滴のうち複数の液滴に含まれるビーズの数をそれぞれ取得し、前記判定手段は、前記取得手段によりビーズの数が取得された液滴のうち所定の割合以上の液滴に含まれるビーズの数が、前記設定したビーズの数の範囲外であるか否かを判定することを特徴する。
【０００８】
これによれば、液滴の塗布量を調整する条件は設定事項によって任意に設定することができ、取得した画像に表示された液滴のうち複数の液滴に含まれるビーズの数をそれぞれ取得し、ビーズの数が取得された液滴のうち所定の割合以上の液滴に含まれるビーズの数が、予め設定したビーズの数の範囲外であるか否かを判定することによって、被検査媒体に塗布する液滴中にスペーサとして機能を果たすために必要な数のビーズが含まれているか否かを判定することができる。
【０００９】
上記課題を解決するための請求項３に記載の発明は、請求項１又は請求項２に記載の判定装置において、前記液滴から抽出したビーズの面積と前記面積を有する液滴に含まれるビーズの数とを予め対応づけて記憶する記憶手段を有し、前記取得手段は、前記複数の位置に塗布された各液滴から抽出したビーズの面積をそれぞれ測定する面積測定手段と、前記記憶手段を参照して前記測定された複数の位置に塗布された各液滴から抽出したビーズの面積に対応づけられた前記ビーズの数を取得するビーズ数取得手段であることを特徴とする。
【００１０】
これによれば、液滴から抽出したビーズの面積を測定するだけでビーズの数を取得することができるため、迅速にビーズの数を取得することができ、当該ビーズの数が、予め設定したビーズの数の範囲外であるか否かを判定することによって、被検査媒体に塗布する液滴中にスペーサとして機能を果たすために必要な数のビーズが含まれているか否かを判定することができる。
【００１１】
上記課題を解決するための請求項４に記載の発明は、請求項１乃至請求項３のいずれか一項に記載の判定装置において、前記光学系は暗視野光学系であることを特徴とする。
【００１２】
これによれば、カメラの撮像倍率が低倍率であっても液滴から抽出したビーズの面積を測定する際に、ビーズの周りを覆う樹脂等の面積を含まずビーズのみの面積を正確に測定することができる。
【００１３】
また、低倍率により撮像することができるため、１度の撮像で複数の液滴の撮像が可能である。よって、被検査媒体の全領域に塗布された液滴について撮像を行うために必要なカメラの移動が少なくてすむことになり、検査の高速化を図ることができる。
【００１４】
更に、当該ビーズの数が、予め設定したビーズの数の範囲外であるか否かを判定することによって、被検査媒体に塗布する液滴中にスペーサとして機能を果たすために必要な数のビーズが含まれているか否かを判定することができる。
【００１５】
上記課題を解決するための請求項５に記載の発明は、請求項１乃至請求項４のいずれか一項に記載の判定装置を含む液滴塗布量調整装置において、前記判定手段により前記設定したビーズの数の範囲外であると判定された場合に、前記被検査媒体に塗布される液滴の塗布量を調整する調整手段を有することを特徴とする。
【００１６】
これによれば、判定手段により前記設定したビーズの数の範囲外であると判定された場合に、被検査媒体に塗布される液滴の塗布量を調整することができる。つまり、被検査媒体に塗布する液滴中にスペーサとして機能を果たすために必要な数のビーズが含まれていないと判定された場合に、被検査媒体に塗布される液滴の塗布量を調整することにより、ビーズの数を迅速、かつ、正確に制御し、安定させることができる。
【００１７】
上記課題を解決するための請求項６に記載の発明は、複数の位置に一定の塗布量の液滴が塗布された被検査媒体に光学系にて光を照射し、前記被検査媒体の画像を取得する画像取得工程と、前記取得した画像に表示された液滴のうち少なくともいずれか一つの液滴に含まれるビーズの数をそれぞれ取得する取得工程と、前記被検査媒体に塗布される一定の塗布量の液滴に含まれるビーズの数を予め設定しておき、前記取得工程によりビーズの数が取得された液滴のうち少なくともいずれか一つの液滴に含まれるビーズの数が、前記設定したビーズの数の範囲外であるか否かを判定する判定工程と、を有することを特徴とする。
【００１８】
これによれば、取得した画像に表示された液滴のうち少なくともいずれか一つの液滴に含まれるビーズの数をそれぞれ取得し、取得された液滴のうち少なくともいずれか一つの液滴に含まれるビーズの数が、予め設定しておいたビーズの数の範囲外であるか否かを判定することによって、被検査媒体に塗布する液滴中にスペーサとして機能を果たすために必要な数のビーズが含まれているか否かを判定することができる。
【００１９】
上記課題を解決するための請求項７に記載の発明は、請求項６に記載の判定方法において、前記取得工程は、前記画像取得工程により取得した画像に表示された液滴のうち複数の液滴に含まれるビーズの数をそれぞれ取得し、前記判定工程は、前記取得工程によりビーズの数が取得された液滴のうち所定の割合以上の液滴に含まれるビーズの数が、前記設定したビーズの数の範囲外であるか否かを判定することを特徴する。
【００２０】
これによれば、液滴の塗布量を調整する条件は設定事項によって任意に設定することができ、取得した画像に表示された液滴のうち複数の液滴に含まれるビーズの数をそれぞれ取得し、ビーズの数が取得された液滴のうち所定の割合以上の液滴に含まれるビーズの数が、予め設定したビーズの数の範囲外であるか否かを判定することによって、被検査媒体に塗布する液滴中にスペーサとして機能を果たすために必要な数のビーズが含まれているか否かを判定することができる。
【００２１】
上記課題を解決するための請求項８に記載の発明は、請求項６又は請求項７に記載の判定方法において、前記液滴から抽出したビーズの面積と前記面積を有する液滴に含まれるビーズの数とを予め対応づけて記憶する記憶工程を有し、前記取得工程は、前記複数の位置に塗布された各液滴から抽出したビーズの面積をそれぞれ測定する面積測定工程と、前記記憶手工程にて記憶された情報を参照して前記測定された複数の位置に塗布された各液滴から抽出したビーズの面積に対応づけられた前記ビーズの数を取得するビーズ数取得工程であることを特徴とする。
【００２２】
これによれば、液滴から抽出したビーズの面積を測定するだけでビーズの数を取得することができるため、迅速にビーズの数を取得することができ、当該ビーズの数が、予め設定したビーズの数の範囲外であるか否かを判定することによって、被検査媒体に塗布する液滴中にスペーサとして機能を果たすために必要な数のビーズが含まれているか否かを判定することができる。
【００２３】
上記課題を解決するための請求項９に記載の発明は、請求項６乃至請求項８のいずれか一項に記載の判定方法において、前記光学系は暗視野光学系であることを特徴とする。
【００２４】
これによれば、カメラの撮像倍率が低倍率であっても液滴から抽出したビーズの面積を測定する際に、ビーズの周りを覆う樹脂等の面積を含まずビーズのみの面積を正確に測定することができる。
【００２５】
また、低倍率により撮像することができるため、１度の撮像で複数の液滴の撮像が可能である。よって、被検査媒体の全領域に塗布された液滴について撮像を行うために必要なカメラの移動が少なくてすむことになり、検査の高速化を図ることができる。
【００２６】
更に、当該ビーズの数が、予め設定したビーズの数の範囲外であるか否かを判定することによって、被検査媒体に塗布する液滴中にスペーサとして機能を果たすために必要な数のビーズが含まれているか否かを判定することができる。
【００２７】
上記課題を解決するための請求項１０に記載の発明は、請求項６乃至請求項９のいずれか一項に記載の判定装置を含む液滴塗布量調整方法において、前記判定工程により前記設定したビーズの数の範囲外であると判定された場合に、前記被検査媒体に塗布される液滴の塗布量を調整する調整工程を有することを特徴とする。
【００２８】
これによれば、判定手段により前記設定したビーズの数の範囲外であると判定された場合に、被検査媒体に塗布される液滴の塗布量を調整することができる。つまり、被検査媒体に塗布する液滴中にスペーサとして機能を果たすために必要な数のビーズが含まれていないと判定された場合に、被検査媒体に塗布される液滴の塗布量を調整することにより、ビーズの数を迅速、かつ、正確に制御し、安定させることができる。
【発明の効果】
【００２９】
本発明によれば、取得した画像に表示された液滴のうち少なくともいずれか一つの液滴に含まれるビーズの数をそれぞれ取得し、取得された液滴のうち少なくともいずれか一つの液滴に含まれるビーズの数が、予め設定しておいたビーズの数の範囲外であるか否かを判定することによって、被検査媒体に塗布する液滴中にスペーサとして機能を果たすために必要な数のビーズが含まれているか否かを判定することができる。
【発明を実施するための最良の形態】
【００３０】
（Ｉ）第１の実施形態
本発明の判定装置を含む液滴塗布量調整装置の第１の実施形態について説明する。
【００３１】
［液滴塗布量調整装置の構成及び機能］
まず、図１乃至図３を参照して本実施形態に係る液滴塗布量調整装置の構成及び機能について説明する。
【００３２】
図１は、本実施形態にかかる液滴塗布量調整装置の概略図であり、図２は、液滴塗布量調整装置の動作処理部における概要構成を示すブロック図であり、図３は、被検査媒体に塗布される液滴について説明するための図である。
【００３３】
図１に示すように、当該液滴塗布量調整装置は、塗布部１、画像取得部２、動作処理部３を含んで構成されている。
（塗布部１）
まず、塗布部１について説明する。塗布部１は、被検査媒体１３の複数の位置に一定の塗布量の液滴１２を塗布する部分である。
【００３４】
塗布部１は、液滴塗布部１１、液滴１２、被検査媒体１３、搬送部１４により構成されている。
【００３５】
液滴塗布部１１は、液滴１２の塗布手段として機能し、図３（ａ）に示すように、被検査媒体１３の複数の位置に一定の塗布量の液滴１２を塗布するものである。
【００３６】
ここで、図３を用いて被検査媒体１３、被検査媒体１３に塗布される液滴１２について説明する。
【００３７】
図３（ａ）に示すように、被検査媒体１３は、液晶ディスプレイ等に用いられるカラーフィルタ等であり、図示しない基板上に着色部１５やブラックマトリックス１６等が形成されているものである。その基板の間隙を一定に保つために、基板間にスペーサとしての機能を果たすビーズを含む液滴１２が塗布される。
【００３８】
液滴１２の塗布位置は、スペーサが形成されるべき位置であり、設計事項に合わせて任意に設定可能である。
【００３９】
液滴１２の塗布方法は、上記設定した各塗布位置に液滴１２を１ショット（１滴）ずつ塗布する方法と、複数滴塗布する方法があり、設計事項に合わせて任意に設定可能である。
【００４０】
図３（ｂ）は、図３（ａ）の点線部分の拡大図であり、図３（ｂ）に示すように、被検査媒体１３の各塗布位置に塗布される液滴１２は、ビーズ１７と溶媒と樹脂１８等により構成されている。ここで、ビーズ１７は、ジビニルベンゼンポリマー等、樹脂１８は、アルリル等、溶媒はトリアセチン、マロンサンジメチル、ブチルカルビトールアセテート等により構成されている。
【００４１】
ビーズ１７の形状は、特に限定されないが、例えば、球状、繊維状等であることが好ましい。ここでは球状のビーズ１７を用いるものとして以下説明する。
【００４２】
ビーズ１７の粒径は、特に限定されないが、例えば、５μｍ〜１０μｍであることが好ましく、スペーサとして機能するために必要な粒径である必要がある。
【００４３】
ビーズ１７の数は、特に限定されないが、例えば、スペーサとして機能するために必要な個数である必要がある。例えば、各塗布位置に塗布される液滴１２に含まれるビーズ１７の数は１０個〜２０個であることが好ましい。
【００４４】
ここで、詳しくは後述するが、各塗布位置に塗布される液滴１２に含まれるビーズ１７の数を調整するためには、ビーズ１７が含まれている液滴１２の塗布量を調整することによってなされる。この各塗布位置に塗布される液滴１２の塗布量を調整する方法としては、（１）１ショット（１滴）で塗布される液滴１２の量を変化させることによって調整する方法、（２）各塗布位置に液滴１２が塗布される回数を調整する方法の２通りがある。いずれかの調整を行うことによって、各塗布位置に塗布される液滴１２に含まれるビーズ１７の数を調整することができる。
【００４５】
搬送部１４は、被検査媒体１３を移動させ液滴１２を複数の位置に塗布するためのものである。
（画像取得部２）
次に、画像取得部２について説明する。画像取得部２は、塗布部１によって被検査媒体１３に塗布された液滴１２にスペーサとして機能するために必要な所定の数のビーズ１７が含まれているか否かを検査する際に必要な被検査媒体１３の画像を取得する部分である。
【００４６】
画像取得部２は、カメラ２１、Ｘ軸ステージ２２、Ｙ軸ステージ２３、照明２４により構成されている。
【００４７】
カメラ２１は、被検査媒体１３の画像を取得する画像取得手段として機能するものであり、特に限定されることはなく、例えばエリアセンサカメラを用いる。
【００４８】
Ｘ軸ステージ２２、Ｙ軸ステージ２３は、カメラ２１において被検査媒体１３の全領域のうちの任意の位置を撮像するために、カメラ２１の位置を移動させるためのものである。具体的には、Ｘ軸ステージ２２においてカメラ２１を図面上の左右方向に移動させ、Ｙ軸ステージ２３において、カメラ２１を図面上の前後方向に移動させるものとする。
【００４９】
照明２４は、特に限定されることはないが、暗視野光学系等を用いることが好ましい。図示しないが、暗視野光学系を用いて液滴１２を撮像した場合には、図４に示すように、液滴１２が明部となる（より詳細には、ビーズ１７のみが明るく光って見える）画像を取得することができる。そのため、カメラ２１の撮像倍率が５〜１０倍程度の低倍率であっても液滴１２から抽出したビーズの面積を測定する際に、ビーズ１７の周りを覆う樹脂１８等の面積を含まずビーズ１７のみの面積を正確に取得することができる。
【００５０】
また、低倍率により撮像することができるため、１度の撮像で複数の液滴１２の撮像が可能である。よって、被検査媒体１３の全領域に塗布された液滴１２について撮像を行うために必要なカメラ２１の移動が少なくてすむことになり、検査の高速化を図ることができる。
【００５１】
なお、明視野光学系においても本発明の効果を得ることはできるが、明視野光学系を用いた場合、低倍率においては、ビーズ１７とビーズ１７の周りの樹脂１８との区別が容易ではなく、ビーズ１７とビーズ１７の周りの樹脂１８等を含めて液滴１２から抽出したビーズの面積として判定してしまうため、ビーズ１７のみの正確な面積が把握できない。そのため、詳しくは後述するが、図５に示すように、液滴１２から抽出したビーズの面積に対応して記憶されているビーズ１７の数を参照して、正確なビーズ１７の数を取得することができない。従って、明視野光学系を用いる場合には、高倍率により画像を撮像しなければ液滴１２に含まれるビーズ１７の数を正確に取得することができないが、高倍率によって画像を撮像する場合には、１度の撮像で多くの液滴１２を撮像することができないため、被検査媒体１３の全領域に塗布された液滴１２について撮像を行うためには、カメラ２１の移動が多くなり、検査の高速化が望めない場合がある。
（動作処理部３）
次に、動作処理部３について説明する。動作処理部３は、塗布部１と画像取得部２の動作を管理しており、画像取得部２によって取得された画像を用いて被検査媒体１３に塗布された液滴１２に含まれるビーズ１７の数を取得し、その取得されたビーズの数に基づき、塗布部１から被検査媒体１３に塗布される液滴１２の塗布量を調整する部分である。
【００５２】
動作処理部３は、図２に示すように、入力部３１、表示部３２、記憶手段としての記憶部３３、通信部３４、取得手段、判定手段、調整手段、面積測定手段、ビーズ数取得手段としての制御部３５により構成されている。
【００５３】
入力部３１は、図示しないキーボード等に具備された数字キー等の各種操作キー等であって、管理者によって被検査媒体１３に塗布される一定の塗布量の液滴１２に含まれるビーズ１７の数等を設定された場合等の当該操作に対応する入力情報を生成して制御部３５へ出力する。
【００５４】
表示部３２は、画像取得部２により受け取った画像情報等を表示する。
【００５５】
記憶部３３は、記憶手段として機能する。
【００５６】
液滴塗布量調整装置上の表示部３２に表示すべき情報等を蓄積記憶し、必要に応じて蓄積記憶情報として制御部３５に出力すると共に、入力部３１における操作により当該表示すべき情報が入力／更新されると、その更新された情報を制御部３５を介して蓄積記憶情報として受け取り、指定されたアドレスに蓄積記憶する。
【００５７】
ここで、当該記憶部３３の細部構成について、図５を用いて説明する。なお、図５（ａ）は、動作処理部の記憶部の細部構成を示す図であり、図５（ｂ）は、液滴から抽出したビーズの面積情報とビーズの数情報を示すグラフである。
【００５８】
図５（ａ）に示すように、記憶部３３は、面積換算情報データベース３３Ａにより構成されている。
【００５９】
＜面積換算情報データベース３３Ａ＞
図５（ａ）に示すように面積換算情報データベース３３Ａは、液滴１２から抽出したビーズの面積情報とビーズの数情報を対応づけて記憶している。
【００６０】
具体的には、予め液滴１２を撮像し、その撮像された液滴１２から抽出したビーズの面積と、ビーズの数を事前に多数測定し、これらを液滴１２から抽出したビーズの面積情報とビーズの数情報として対応づけて記憶させておくものであり、例えば、液滴１２から抽出したビーズの面積が５００画素である場合に、その液滴１２に含まれているビーズ１７の数は９個であるとすると、面積情報５００画素にビーズの数情報９個を対応付けて記憶させておく。同様に、液滴１２から抽出したビーズの面積が６００画素である場合に、その液滴１２に含まれているビーズ１７の数は１４個であるとすると、面積情報６００画素にビーズの数情報１４個を対応付けて記憶させておく。
【００６１】
また、図５（ｂ）に示すように液滴から抽出したビーズの面積情報とビーズの数情報を対応付けたグラフより求められた近似式を記憶部３３の面積換算データベース３３Ａに記憶させておいてもよい。
【００６２】
具体的には、予め液滴１２を撮像し、その撮像された液滴１２から抽出したビーズの面積と、ビーズの数を事前に多数測定し、図５（ｂ）のグラフを作成する。このグラフより両者の関係を表す近似式を求めて、面積換算情報データベース３３Ａに記憶させておく。その後、液滴１２に含まれるビーズ数を取得するために液滴１２の撮像が行われた場合には、撮像された液滴１２から抽出したビーズの面積をこの式に当てはめることによりビーズの数を取得することができる。例えば、図５（ｂ）の場合の近似式は以下になる。
ｙ＝ｅ０．００４４ｘ（ｘ：面積、ｙ：ビーズ数）
【００６３】
通信部３４は、塗布部１乃至画像取得部２との間で情報を送受信する際に通信情報を受信し制御部３５に出力したり、通信情報を送信するために制御部３５から出力されるものである。例えば、塗布部１に液滴１２の塗布量を調整する情報を送信したり、カメラ２１を用いて液滴１２を撮像する際に、カメラ２１の位置を移動させるために画像取得部２に位置合わせ情報を送信したりするものである。
【００６４】
制御部３５は、取得手段、判定手段、調整手段、面積測定手段、ビーズ数取得手段として機能する。
【００６５】
なお、取得手段は、面積測定手段と、ビーズ数取得手段を含むものとする。
【００６６】
上記通信情報、入力情報、及び記憶情報を用いて、表示部３２に表示させるべき表示情報を生成し、表示部３２に出力して必要な表示を実行させたり、上記通信情報を生成し、通信部３４を介して塗布部１、画像取得部２に対して通信を行う。
【００６７】
ここで、制御部３５は面積測定機能、ビーズ数取得機能、判定機能、液滴塗布量調整機能を有している。以下に、各機能について詳細に説明する。
【００６８】
＜面積測定機能＞
面積測定機能とは、液滴１２から抽出したビーズの面積を測定する機能である。
【００６９】
上述したように暗視野光学系を用いて液滴１２を撮像した場合には、液滴１２が明部となる画像を取得することができるため、その明部となった範囲の面積を測定するものとする。
【００７０】
＜ビーズ数取得機能＞
ビーズ数取得機能とは、図５（ａ）（ｂ）に示すように液滴１２から抽出したビーズの面積情報に対応付けられてビーズ１７の数情報が記憶部３３の面積換算情報データベース３３Ａに記憶されていることにより、上述するように面積測定機能において液滴１２から抽出したビーズの面積を測定（面積情報取得）した後に、記憶部３３の面積換算情報データベース３３Ａからその面積情報に対応するビーズ１７の数情報を呼び出して、ビーズ数を取得する機能である。
【００７１】
例えば、液滴１２から抽出したビーズの面積を測定した結果、面積が５００画素（面積情報取得）である場合には、図５に示すように、記憶部３３の面積換算情報データベース３３Ａからその面積情報（５００画素）に対応するビーズ１７の数情報（９個）を呼び出すことにより、ビーズ数を取得することができる。また、面積が６００画素（面積情報取得）である場合には、図５に示すように、記憶部３３の面積換算情報データベース３３Ａからその面積情報（６００画素）に対応するビーズ１７の数情報（１４個）を呼び出すことにより、ビーズ数を取得することができる。このような構成をとることにより、液滴１２から抽出したビーズの面積を測定するだけでビーズ１７の数を取得することができる。
【００７２】
＜判定機能＞
判定機能とは、ビーズの数が取得された液滴１２のうち少なくともいずれか一つの液滴１２に含まれるビーズの数が、予め設定したビーズの数の範囲外であるか否かを判定する機能である。
【００７３】
ここで範囲外とは、取得されたビーズ数が、予め設定したビーズ数と異なる場合をいう。
【００７４】
具体的には、液滴１２に含まれるビーズ１７の数を例えば、１０±１個と設定していた場合に、ビーズの数が取得された液滴１２のうち少なくとも１つの液滴１２に含まれるビーズ１７の数が１０±１個以外の数、例えば、８個等であった場合には、範囲外であると判定する。
【００７５】
＜液滴塗布量調整機能＞
液滴塗布量調整機能とは、後述するようにビーズの数が取得された液滴１２のうち少なくともいずれか一つの液滴１２に含まれるビーズの数が、設定したビーズの数の範囲外であると判定された場合に、ビーズの数を調整するために塗布部１から塗布される液滴１２の塗布量を調整する機能である。具体的には、上述したように液滴１２に含まれるビーズ１７の数を調整するためには、ビーズ１７が含まれている液滴１２の塗布量を調整することによってなされる。このビーズ１７が含まれている液滴１２の塗布量を調整する方法としては、（１）一回に塗布される液滴１２の量を変化させることによって調整する方法と、（２）一カ所に液滴１２が塗布される回数を調整する方法の２通りある。いずれかの調整を行うことによって、一カ所に塗布される液滴１２に含まれるビーズ１７の数を調整することができる。
【００７６】
［液滴塗布量調整処理］
次に、図６のフローチャートを用いて、液滴塗布量調整装置における液滴塗布量調整処理について説明する。
図６は、液滴塗布量調整装置における液滴塗布量調整処理を示すフローチャートである。
【００７７】
＜前処理＞
被検査媒体１３の各塗布位置に塗布される一定の塗布量の液滴１２に含まれるビーズ１７の数を動作処理部３の入力部３１を用いて予め設定する（ステップＳ１１）。
【００７８】
具体的には、披検査媒体１３の各塗布位置に塗布される液滴１２に含まれるビーズ１７の数を例えば１０±１個と設定する。その設定に基づいて、１０±１個のビーズ１７が含まれるように液滴１２の塗布量が決定される。その塗布量が動作処理部３の通信部３４から塗布部１に指示され、その指示に基づいて塗布部１１から被検査媒体１３に所定の塗布量の液滴１２が塗布されることになる。
【００７９】
＜液滴塗布量調整処理＞
被検査媒体１３に照明２４にて光を照射し、被検査媒体１３の画像を取得する（ステップＳ１２）。
【００８０】
具体的には、図１に示すように画像取得部２においてＸ軸ステージ２２、Ｙ軸ステージ２３を用いてカメラ２１の位置を移動させ、被検査媒体１３の全領域のうち検査すべき位置の画像を撮像する（図４、図７（ａ）参照）。
【００８１】
次に、被検査媒体１３を撮像して得られた画像に対して画像処理を行う（ステップＳ１３）。
【００８２】
まず、撮像された画像に対して、２値化処理を行う。
【００８３】
具体的には、２値化処理は、撮像された画像のヒストグラムを生成し、所定の閾値との大小関係に基づいて、所定の閾値よりも大きい画素には、例えば画素値１を与え、所定の閾値以下である画素には例えば画素値０を与える処理である。２値化処理を行った後の画像の一例を図７（ｂ）に示す。
【００８４】
次に、２値化処理後の画像に対して、ラベリング処理を行う。
【００８５】
具体的には、ラベリング処理は、液滴１２が塗布された位置と、液滴１２から抽出したビーズの面積を特定する処理である（図７（ｃ）参照）。ラベリング処理において得られた位置情報、面積情報の一例を図７（ｄ）に示す。例えば、画像の左上の液滴１２から順に番号を振り、その位置情報（例えば、Ｘ座標、Ｙ座標表示を行なう）と、面積情報（例えば、５００画素）等を表示する。
【００８６】
次に、画像処理がなされた画像を元に画像に表示された液滴１２のうち少なくともいずれか一つの液滴１２に含まれるビーズの数をそれぞれ取得する。
【００８７】
具体的には、画像に表示された液滴１２の全ての液滴１２に含まれるビーズ１７の数をそれぞれ取得してもよいし、画像に表示された液滴１２のうち、任意の１つを選択しその液滴１２に含まれているビーズ１７の数を取得してもよい。以下は、画像に表示された液滴１２の全てに含まれるビーズ１７の数をそれぞれ取得する場合について説明する。
【００８８】
（面積測定）
まず、液滴１２から抽出したビーズの面積を測定する（面積測定工程）（ステップＳ１４）。
【００８９】
具体的には、画像に表示された各液滴１２から抽出したビーズの面積をそれぞれ測定する。暗視野光学系を用いて液滴１２を撮像した場合には、画像においてビーズ１７のみが明るく光って見えるため、そのビーズ１７の面積を測定する（面積情報取得）（面積測定の方法は、上述した［液滴塗布量調整装置の構成及び機能］を参照。）。
【００９０】
（ビーズ数取得）
次に、液滴１２に含まれるビーズ１７の数を取得する（ビーズ数取得工程）（ステップＳ１５）。
【００９１】
具体的には、液滴１２から抽出したビーズの面積情報に対応付けられてビーズ１７の数情報が記憶部３３の面積換算情報データベース３３Ａに記憶されていることにより、液滴１２から抽出したビーズの面積を測定（面積情報取得）した後に、記憶部３３の面積換算情報データベース３３Ａからその面積情報に対応するビーズ１７の数情報を呼び出して、ビーズ数を取得する（ビーズの数情報取得）（ビーズ数取得の方法は、上述した［液滴塗布量調整装置の構成及び機能］を参照。）。
【００９２】
（判定）
次に、ビーズの数が取得された液滴１２のうち少なくともいずれか一つの液滴１２に含まれるビーズの数が、設定したビーズの数の範囲外であるか否かを判定する（判定工程）（ステップＳ１６）。
【００９３】
範囲外とは、取得されたビーズ数が、予め設定したビーズ数と異なる場合をいう。
【００９４】
具体的には、液滴１２に含まれるビーズ１７の数を例えば、１０±１個と設定していた場合に、ビーズの数が取得された液滴１２のうち少なくとも１つの液滴１２に含まれるビーズ１７の数が１０±１個以外の数、例えば、８個等であった場合には、範囲外であると判定する（判定の方法は、上述した［液滴塗布量調整装置の構成及び機能］を参照。）。
【００９５】
（液滴塗布量調整）
次に、ビーズ数が取得された液滴１２のうち少なくともいずれか一つの液滴１２に含まれるビーズの数が、設定したビーズの数の範囲外であった場合（ステップＳ１６：ＹＥＳ）には、被検査媒体１３に塗布される液滴１２の塗布量を調整する（調整工程）（ステップＳ１７）。
【００９６】
具体的には、液滴１２に含まれるビーズ１７の数を予め設定した１０±１個に近づけるために液滴１２の塗布量を調整する（液滴塗布量調整の方法は、上述した［液滴塗布量調整装置の構成及び機能］を参照。）。
【００９７】
一方、ビーズ数が取得された液滴１２のうち少なくともいずれか一つの液滴１２に含まれるビーズの数が、設定したビーズの数の範囲外でない場合（いずれの液滴１２に含まれるビーズの数が全て範囲内であった場合）（ステップＳ１６：ＮＯ）には、被検査媒体１３に塗布される液滴１２の塗布量を調整する必要がないため、調整は行われず、処理を終了する。
【００９８】
以上、被検査媒体１３のある一定の領域についてカメラ２１を用いて画像を撮像し、その領域において塗布された液滴１２に含まれているビーズ１７の数について検査を行ったが、被検査媒体１３の他の領域についても上記と同様の動作を行うものとする。この動作を行うことにより、被検査媒体１３のいずれかの領域における検査の際に液滴１２に含まれるビーズ１７の数が設定する値の範囲外であった場合には、液滴１２の塗布量を調整し、その中に含まれているビーズ１７の数を調整することができる。よって、ビーズの数を迅速、かつ、正確に制御し、安定させることができる。
（ＩＩ）第２の実施形態
本発明の判定装置を含む液滴塗布量調整装置の第２の実施形態について説明する。
【００９９】
第１の実施形態において説明した液滴塗布量調整装置の構成及び機能についてはほぼ同様であるため説明を省略するものとし、液滴塗布量調整処置について異なる部分のみ以下に説明する。
【０１００】
まず、第１の実施形態の＜液滴塗布量調整処理＞ステップＳ１４、１５において、画像に表示された液滴１２のうち複数の液滴１２に含まれるビーズの数をそれぞれ取得することを前提とする。次に、ステップＳ１６において説明したように、ビーズの数が取得された液滴１２のうち少なくともいずれか一つの液滴１２に含まれるビーズの数が、設定したビーズの数の範囲外であるか否かを判定する際に説明した「範囲外」とは、取得されたビーズ数が、予め設定したビーズ数と異なる場合をいうと説明したが、この範囲に幅をもたせ、液滴１２に含まれているビーズの数が、予め設定したビーズの数よりも±何％である場合に範囲外であると判定する設定してもよい。
【０１０１】
具体的には、液滴１２に含まれているビーズの数が設定されているビーズの数よりも±２０％である場合に範囲外とすると設定した場合について説明すると、液滴１２に含まれるビーズ１７の数を１０個と設定していた場合に、液滴１２に含まれるビーズ１７の数が８個である場合には、範囲外であると判定することになる。
【０１０２】
次に、ビーズの数を取得した液滴１２のうち所定の割合（何％）以上の液滴１２に含まれるビーズの数が範囲外であるか否かを判定し、判定した結果、所定の割合（何％）以上の液滴１２に含まれるビーズの数が範囲外である場合には、再度液滴１２の塗布量を調整するという設定をしてもよい。
【０１０３】
具体的には、ビーズの数を取得した液滴１２のうち７０％の液滴１２に含まれるビーズの数が範囲外であるか否かを判定し、判定した結果、７０％以上の液滴１２に含まれるビーズの数が範囲外である場合に再度液滴１２の塗布量を調整すると設定した場合には、ビーズの数が取得された液滴１０個のうちの７個の液滴に含まれるビーズ１７の数が範囲外である場合には液滴１２の塗布量を調整することになる。
【０１０４】
上記のように液滴１２の塗布量を調整する条件は設定事項によって任意に設定することができる。その際の条件設定は、第１の実施形態の＜前処理＞ステップＳ１１において説明したように、動作処理部３の入力部３１を用いて予め設定することが可能である。
【図面の簡単な説明】
【０１０５】
【図１】第１実施形態にかかる液滴塗布量調整装置の概略図である。
【図２】液滴塗布量調整装置の動作処理部における概要構成を示すブロック図である。
【図３】被検査媒体に塗布される液滴について説明するための図である。
【図４】暗視野光学系を用いて撮像した画像を示す図である。
【図５（ａ）】本発明の液滴塗布量調整装置の記憶部の細部構成を示すブロック図である。
【図５（ｂ）】液滴から抽出したビーズの面積情報とビーズの数情報を示すグラフである。
【図６】液滴塗布量調整装置における液滴塗布量調整処理を示すフローチャートである。
【図７】撮像された画像について説明するための図である。
【符号の説明】
【０１０６】
１・・・塗布部
２・・・画像取得部
３・・・動作処理部
１１・・・液滴塗布部
１２・・・液滴
１３・・・被検査媒体
１４・・・搬送部
１５・・・着色部
１６・・・ブラックマトリックス
１７・・・ビーズ
１８・・・樹脂
２１・・・カメラ
２２・・・Ｘ軸ステージ
２３・・・Ｙ軸ステージ
２４・・・照明
３１・・・入力部
３２・・・表示部
３３・・・記憶部
３４・・・通信部
３５・・・制御部
３３Ａ・・・面積換算情報データベース
【図１】
2007304723.tif 000003
【図２】
2007304723.tif 000004
【図３】
2007304723.tif 000005
【図４】
2007304723.tif 000006
【図５（ａ）】
2007304723.tif 000007
【図５（ｂ）】
2007304723.tif 000008
【図６】
2007304723.tif 000009
【図７】
2007304723.tif 000010